(57)【要約】システム選択及び獲得を実行するための技術が記述される。一設計において、端末は、ＯＦＤＭまたはＳＣ−ＦＤＭを利用する少なくとも１つのシステムに関する少なくとも１つのシステムレコードを取得してよい。各システムレコードは、関連するシステムのシステム識別情報及び関連する獲得レコードのインデックスを含んでよい。端末は、少なくとも１つのシステムに関する少なくとも１つの獲得レコードも取得してよい。各獲得レコードは、例えばＦＦＴサイズ、サイクリックプレフィクス長、ガードサブキャリア数などの少なくとも１つの設定可能なシステムパラメータに関する少なくとも１つの値を含んでよい。端末は、少なくとも１つのシステムレコード及び少なくとも１つの獲得レコードに従って少なくとも１つのシステムの獲得を実行してよい。システム及び獲得レコードはＰＲＬまたはＭＲＵリストに保存されてよい。
2010536257.tif 000002
【特許請求の範囲】
【請求項１】
直交周波数分割多重（ＯＦＤＭ）またはシングルキャリア周波数分割多重（ＳＣ−ＦＤＭ）を利用する少なくとも１つのシステムに関する少なくとも１つの獲得レコードを取得することと、
前記少なくとも１つの獲得レコードに従って前記少なくとも１つのシステムに関する獲得を実行することと
を具備し、
各獲得レコードは、少なくとも１つの設定可能なシステムパラメータに関する少なくとも１つの値を備える、
無線通信のための方法。
【請求項２】
前記少なくとも１つのシステムに関する少なくとも１つのシステムレコードを取得することを更に具備し、
各システムレコードは、関連するシステムのシステム識別情報及び関連する獲得レコードのインデックスを備え、
前記獲得を実行することは、各システムに関する獲得を当該システムに関するシステムレコード及び獲得レコードに従って実行することを備える、
請求項１の方法。
【請求項３】
複数のシステムに関する複数のシステムレコードに基づいて獲得のための少なくとも１つのシステムを識別することを更に具備し、
前記少なくとも１つのシステムレコードを取得することは、前記複数のシステムレコードの中から前記少なくとも１つのシステムレコードを取得することを備える、
請求項２の方法。
【請求項４】
前記少なくとも１つの設定可能なシステムパラメータの各々は、多数の見込まれる値を持ち、
前記獲得を実行することは、各システムに関する獲得を当該システムの獲得レコードにおける前記少なくとも１つの設定可能なシステムパラメータに関して前記少なくとも１つの値のみに従って実行することを備える、
請求項１の方法。
【請求項５】
前記少なくとも１つのシステムに関する獲得が失敗であるならば、前記少なくとも１つの設定可能なシステムパラメータの全ての見込まれる値に関するフルサーチを実行することを更に具備する、請求項１の方法。
【請求項６】
前記獲得を実行することは、前記少なくとも１つのシステムに関する獲得を前記少なくとも１つの獲得レコードに従って圏外の間に周期的に実行することを備える、請求項１の方法。
【請求項７】
前記少なくとも１つの設定可能なシステムパラメータは、高速フーリエ変換（ＦＦＴ）サイズを備える、請求項１の方法。
【請求項８】
前記少なくとも１つの設定可能なシステムパラメータは、サイクリックプレフィクス長を備える、請求項１の方法。
【請求項９】
前記少なくとも１つの設定可能なシステムパラメータは、ガードサブキャリア数を備える、請求項１の方法。
【請求項１０】
各獲得レコードは、関連するシステムのバンドクラス及びチャネル番号情報を更に備える、請求項１の方法。
【請求項１１】
前記少なくとも１つの獲得レコードを取得することは、端末に保存または供給される好ましいローミングリスト（ＰＲＬ）から前記少なくとも１つの獲得レコードを取得することを備える、請求項１の方法。
【請求項１２】
前記少なくとも１つの獲得レコードを取得することは、端末によって保守される最近使用（ＭＲＵ）リストから前記少なくとも１つの獲得レコードを取得することを備える、請求項１の方法。
【請求項１３】
前記少なくとも１つの獲得レコードは、ウルトラモバイルブロードバンド（ＵＭＢ）、ロングタームエボリューション（ＬＴＥ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０及びフラッシュ−ＯＦＤＭのうち少なくとも１つに関する、請求項１の方法。
【請求項１４】
直交周波数分割多重（ＯＦＤＭ）またはシングルキャリア周波数分割多重（ＳＣ−ＦＤＭ）を利用する少なくとも１つのシステムに関する少なくとも１つの獲得レコードを取得し、前記少なくとも１つの獲得レコードに従って前記少なくとも１つのシステムに関する獲得を実行するように構成された少なくとも１つのプロセッサを具備し、
各獲得レコードは、少なくとも１つの設定可能なシステムパラメータに関する少なくとも１つの値を備える、
無線通信のための装置。
【請求項１５】
前記少なくとも１つのプロセッサは、前記少なくとも１つのシステムに関する少なくとも１つのシステムレコードを取得し、各システムに関する獲得を当該システムに関するシステムレコード及び獲得レコードに従って実行するように構成され、
各システムレコードは、関連するシステムのシステム識別情報及び関連する獲得レコードのインデックスを備える、
請求項１４の装置。
【請求項１６】
前記少なくとも１つのプロセッサは、前記少なくとも１つのシステムに関する獲得が失敗であるならば前記少なくとも１つの設定可能なシステムパラメータの全ての見込まれる値に関するフルサーチを実行するように構成される、請求項１４の装置。
【請求項１７】
前記少なくとも１つの設定可能なシステムパラメータは、高速フーリエ変換（ＦＦＴ）サイズ、サイクリックプレフィクス長及びガードサブキャリア数のうち少なくとも１つを備える、請求項１４の装置。
【請求項１８】
前記少なくとも１つのプロセッサは、好ましいローミングリスト（ＰＲＬ）または最近使用（ＭＲＵ）リストから前記少なくとも１つの獲得レコードを取得するように構成される、請求項１４の装置。
【請求項１９】
直交周波数分割多重（ＯＦＤＭ）またはシングルキャリア周波数分割多重（ＳＣ−ＦＤＭ）を利用する少なくとも１つのシステムに関する少なくとも１つの獲得レコードを取得するための手段と、
前記少なくとも１つの獲得レコードに従って前記少なくとも１つのシステムに関する獲得を実行するための手段と
を具備し、
各獲得レコードは、少なくとも１つの設定可能なシステムパラメータに関する少なくとも１つの値を備える、
無線通信のための装置。
【請求項２０】
前記少なくとも１つのシステムに関する少なくとも１つのシステムレコードを取得するための手段を更に具備し、
各システムレコードは、関連するシステムのシステム識別情報及び関連する獲得レコードのインデックスを備え、
前記獲得を実行するための手段は、各システムに関する獲得を当該システムに関するシステムレコード及び獲得レコードに従って実行するための手段を備える、
請求項１９の装置。
【請求項２１】
前記少なくとも１つのシステムに関する獲得が失敗であるならば、前記少なくとも１つの設定可能なシステムパラメータの全ての見込まれる値に関するフルサーチを実行するための手段を更に具備する、請求項１９の装置。
【請求項２２】
前記少なくとも１つの設定可能なシステムパラメータは、高速フーリエ変換（ＦＦＴ）サイズ、サイクリックプレフィクス長及びガードサブキャリア数のうち少なくとも１つを備える、請求項１９の装置。
【請求項２３】
前記少なくとも１つの獲得レコードを取得するための手段は、好ましいローミングリスト（ＰＲＬ）または最近使用（ＭＲＵ）リストから前記少なくとも１つの獲得レコードを取得するための手段を備える、請求項１９の装置。
【請求項２４】
少なくとも１つのコンピュータに、直交周波数分割多重（ＯＦＤＭ）またはＳＣ−ＦＤＭ（シングルキャリア周波数分割多重）を利用する少なくとも１つのシステムに関する少なくとも１つの獲得レコードを取得させるためのコードと、
前記少なくとも１つのコンピュータに、前記少なくとも１つの獲得レコードに従って前記少なくとも１つのシステムに関する獲得を実行させるためのコードと
を具備するコンピュータ可読媒体を備え、
各獲得レコードは、少なくとも１つの設定可能なシステムパラメータに関する少なくとも１つの値を備える、
コンピュータプログラム製品。
【請求項２５】
前記コンピュータ可読媒体は、
前記少なくとも１つのコンピュータに、前記少なくとも１つのシステムに関する少なくとも１つのシステムレコードを取得させるためのコードと、
前記少なくとも１つのコンピュータに、各システムに関する獲得を当該システムに関するシステムレコード及び獲得レコードに従って実行させるためのコードと
を更に具備し、
各システムレコードは、関連するシステムのシステム識別情報及び関連する獲得レコードのインデックスを備える、
請求項２４のコンピュータプログラム製品。
【請求項２６】
前記コンピュータ可読媒体は、前記少なくとも１つのコンピュータに、前記少なくとも１つのシステムに関する獲得が失敗であるならば、前記少なくとも１つの設定可能なシステムパラメータの全ての見込まれる値に関するフルサーチを実行させるためのコードを更に具備する、請求項２４のコンピュータプログラム製品。
【請求項２７】
前記少なくとも１つの設定可能なシステムパラメータは、高速フーリエ変換（ＦＦＴ）サイズ、サイクリックプレフィクス長及びガードサブキャリア数のうち少なくとも１つを備える、請求項２４のコンピュータプログラム製品。
【請求項２８】
前記コンピュータ可読媒体は、前記少なくとも１つのコンピュータに、好ましいローミングリスト（ＰＲＬ）または最近使用（ＭＲＵ）リストから前記少なくとも１つの獲得レコードを取得させるためのコードを更に具備する、請求項２４のコンピュータプログラム製品。
【発明の詳細な説明】
【技術分野】
【０００１】
本願は、「ＯＦＤＭＡシステムの効率的な選択及び獲得のための方法及び装置（METHOD AND APPARATUS FOR EFFICIENT SELECTION AND ACQUISITION OF OFDMA SYSTEMS）」と題され、２００７年８月３日に出願され、譲受人に譲渡され、参照によって本願に組み込まれる米国仮特許出願第６０／９５３，９４８についての優先権を主張する。
【０００２】
本開示は、一般に通信に関し、特に端末によるシステム選択及び獲得を実行するための技術に関する。
【背景技術】
【０００３】
無線通信システムは、例えば音声、ビデオ、パケットデータ、メッセージング、放送などの種々の通信サービスを提供するために広く配置されている。これらのシステムは、利用可能なシステムリソースを共有することにより多数のユーザをサポートできる多元接続システムであってよい。係る多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム及びシングルキャリアＦＤＭＡ（ＳＣ−ＦＤＭＡ）システムを含む。
【０００４】
端末（例えば、セルラフォン）は、電源投入されることもあれば、カバレージを単に見失うこともある。上記端末は、通信サービスを受けることのできるシステムをサーチするかもしれない。特にシステムが１つまたは複数の設定可能なパラメータを持ち、夫々の係るパラメータが多数の見込まれる値のうちの１つを持ち得る場合には、サーチは時間を食うかもしれない。この場合に、端末は、システムを検出するために、設定可能なシステムパラメータの値についての異なる見込まれる組み合わせに関して獲得を実行するかもしれない。パラメータ値についての多数の見込まれる組み合わせに関する獲得を実行することは、サーチ時間を延ばし、過度なバッテリ電力を消費するかもしれず、これらの両方が望ましくない。
【発明の概要】
【０００５】
直交周波数分割多重（ＯＦＤＭ）及び／またはシングルキャリア周波数分割多重（ＳＣ−ＦＤＭ）を利用するシステムの選択及び獲得を実行するための技術が本願に記述される。これらのシステムは、設定可能なシステムパラメータを持つかもしれず、これらは物理レイヤパラメータとしても参照されてもよい。設定可能なシステムパラメータは、受信信号の処理に影響するかもしれず、これらのシステムの獲得をＣＤＭＡシステムなどの他のシステムの獲得に比べて著しく複雑にさせるかもしれない。
【０００６】
一態様において、端末は、異なるシステムに関する情報及び各システムの１つまたは複数の設定可能なシステムパラメータに関する情報を保存してよい。情報は、好ましいローミングリスト（ＰＲＬ）、最近使用（ＭＲＵ）リスト、または何らかの他のファイルに保存されてよい。端末は、システム選択及び獲得を迅速化するために、保存された情報を使用してよい。
【０００７】
一設計において、複数のシステムに関する複数のシステムレコードに基づいて、獲得のためのＯＦＤＭまたはＳＣ−ＦＤＭを利用する少なくとも１つのシステムを識別してよい。システムレコードは、ＰＲＬ、ＭＲＵリストまたは他のソースからのものであってよい。各システムレコードは、関連するシステムのシステム識別情報、関連する獲得レコードのインデックス、好適度情報などを包含してよい。端末は、好適度情報及び／または複数のシステムレコードにおけるその他の情報に基づいてシステム選択を実行してよい。端末は、複数のシステムレコードの中から少なくとも１つのシステムに関する少なくとも１つのシステムレコードを取得してよい。
【０００８】
端末は、少なくとも１つのシステムに関する少なくとも１つの獲得レコードを取得してもよい。各獲得レコードは、少なくとも１つの設定可能なシステムパラメータに関する少なくとも１つの値を備えてよく、これは高速フーリエ変換（ＦＦＴ）サイズ、サイクリックプレフィクス長、ガードサブキャリア数などを含んでよい。端末は、少なくとも１つのシステムレコード及び少なくとも１つの獲得レコードに従って少なくとも１つのシステムに関する獲得を実行してよい。獲得のための処理は、無線技術に依存してよく、同期信号またはプリアンプブルの検出、制御チャネルの復調などを含んでよい。端末は、少なくとも１つのシステムに関する獲得が失敗であるならば、少なくとも１つの設定可能なシステムパラメータについての全ての見込まれる値のフルサーチを実行してよい。
【０００９】
本開示の種々の態様及び特徴は、以下に更に詳しく記述される。
【図面の簡単な説明】
【００１０】
【図１】図１は、無線通信システムを示す。
【図２】図２は、ＯＦＤＭまたはＳＣ−ＦＤＭに関するサブキャリア構成を示す。
【図３】図３は、ＯＦＤＭ変調器のブロック図を示す。
【図４】図４は、ＰＲＬを示す。
【図５】図５は、ＰＲＬを含むファイルを示す。
【図６Ａ】図６Ａは、例となる獲得レコードを示す。
【図６Ｂ】図６Ｂは、例となる獲得レコードを示す。
【図７】図７は、例となるシステムレコードを示す。
【図８】図８は、システム選択及び獲得を実行するための処理を示す。
【図９】図９は、システム選択及び獲得を実行するための装置を示す。
【図１０】図１０は、端末、基地局及びシステムコントローラのブロック図を示す。
【発明を実施するための形態】
【００１１】
本願に記述される技術は、種々の無線通信システム、放送システムなどに使用されてよい。「システム（system）」及び「ネットワーク（network）」という用語は、しばしば交換可能に使用される。無線通信システムは、ＷＷＡＮ（wireless wide area network）システム、ＷＭＡＮ（wireless metropolitan area network）システム、ＷＬＡＮ（wireless local area network）システムなどであってよい。例えば、本技術は、ＯＦＤＭを利用するＯＦＤＭＡシステム、ＳＣ−ＦＤＭを利用するＳＣ−ＦＤＭＡシステム、ＯＦＤＭ及びＳＣ−ＦＤＭの両方を利用する多元接続システム、ＯＦＤＭを利用する放送システムなどに使用されてよい。
【００１２】
本技術は、種々の無線技術に使用されてもよい。例えば、本技術は、ＵＭＢ（Ultra Mobile Broadband）、Ｅ−ＵＴＲＡ（Evolved Universal Terrestrial Radio Access）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）などのＯＦＤＭベースの無線技術に使用されてよい。Ｅ−ＵＴＲＡは、ＵＭＴＳ（Universal Mobile Telecommunication System）の一部である。３ＧＰＰ  ＬＴＥ（Long Term Evolution）はＥ−ＵＴＲＡを使用するＵＭＴＳの来るべきリリースであり、これは順方向リンクでＯＦＤＭＡを使用し、逆方向リンクでＳＣ−ＦＤＭＡを使用する。Ｅ−ＵＴＲＡ、ＵＭＴＳ及びＬＴＥは、３ＧＰＰ（"3rd Generation Partnership Project"）と名付けられた組織からの文書に記述されている。ＵＭＢは、３ＧＰＰ２（"3rd Generation Partnership Project 2"）と名付けられた組織からの文書に記述されている。本技術は、メディアＦＬＯ（登録商標）、ＤＶＢ−Ｈ（Digital Video Broadcasting for Handhelds）、ＩＳＤＢ−Ｔ（Integrated Services Digital Broadcasting for Terrestrial Television Broadcasting）などのＯＦＤＭベース放送技術に使用されてもよい。明確さのために、本技術の特定の態様はＵＭＢに関して以下に記述され、ＵＭＢの術語が以下の記述の大部分で使用される。
【００１３】
図１は無線通信システム１００を示しており、これは任意の数の基地局１２０を含んでよい。基地局は、端末と通信する局であり、アクセスポイント、ノードＢ、ｅＮＢ（evolved Node B）などとしても参照されてよい。システムコントローラ１３０は、基地局のセットに連結され、これらの基地局に関する調整及び制御を提供してよい。
【００１４】
端末１１０はシステムの至る所に分散してよく、各端末は固定または可動であってよい。端末は、アクセス端末、移動局、ユーザ装置、加入者ユニット、局などとしても参照されてよい。端末は、セルラフォン、ＰＤＡ（personal digital assistant）、無線通信デバイス、無線モデム、ハンドヘルドデバイス、ラップトップコンピュータ、コードレスフォン、放送受信機などであってよい。端末は、順方向及び逆方向リンクで基地局と通信してよい。順方向リンク（またはダウンリンク）は基地局から端末への通信リンクを参照し、逆方向リンク（またはアップリンク）は端末から基地局への通信リンクを参照する。図１において、２つの矢印を持つ実線は端末と基地局との間の通信を表示する。１つの矢印を持つ破線は、基地局からの順方向リンク信号を受信する端末を表示する。端末は、基地局によって送信された順方向リンク信号に基づいてシステムサーチ及び他の機能を実行してよい。
【００１５】
図２は、ＯＦＤＭまたはＳＣ−ＦＤＭに適用可能であり得るサブキャリア構造２００を示す。システムは、Ｗ  ＭＨｚという全体のシステム帯域幅を持つ。システム帯域幅は、ＯＦＤＭまたはＳＣ−ＦＤＭを使用する多数（ＮＦＦＴ個）の直交サブキャリアに分割されてよい。これらのサブキャリアは、トーン、ビンなどとしても参照されてよい。ＮＦＦＴは、ＦＦＴサイズとして共通に参照される。隣接サブキャリア間の間隔は、Ｗ／ＮＦＦＴ  ＭＨｚである。サブキャリア間隔は固定であってよく、サブキャリアの総数（ＮＦＦＴ）はシステム帯域幅に依存してよい。例えば、ＵＭＢ及びＬＴＥにおいて、１．２５、２．５、５、１０または２０ＭＨｚのシステム帯域幅に関して、ＮＦＦＴは１２８、２５６、５１２、１０２４または２０４８に夫々等しくてよい。ＦＦＴサイズは、このようにシステム帯域幅を示すかもしれない。或いは、サブキャリアの総数（ＮＦＦＴ）が、所与のシステム帯域幅に関して設定可能であってもよい。例えば、ＤＶＢ−Ｈにおいて、ＮＦＦＴは６または７ＭＨｚのシステム帯域幅に関して２０４８または８１９２に等しくてよい。任意の場合において、ＮＦＦＴはシステムに関する設定可能なパラメータであってよい。
【００１６】
スペクトル的な形をしたシステムにおいて、ＮＦＦＴ個の総サブキャリアの中のＮＵ個のサブキャリアだけが送信に使用可能であってよく、残りのＮＧ個のサブキャリアが使用されずにガードサブキャリアとしての役目を務めてよく、ここでＮＵ＋ＮＧ＝ＮＦＦＴである。ＮＵ個の使用可能サブキャリアはシステム帯域幅の中央に位置してよく、ＮＧ個のガードサブキャリアは２つの帯域端に位置してよい。簡潔さのために図２に示されていないが、中心／直流のサブキャリアはガードサブキャリアであってもよい。帯域端のガードサブキャリアは、システムにスペクトルマスク要求を満足させるかもしれない。
【００１７】
図３は、ＯＦＤＭベースのシステムにおける送信機に関するＯＦＤＭ変調器３００のブロック図を示す。ＯＦＤＭ変調器３００内で、直列−並列変換器３１２は入力シンボル（例えば変調シンボル）を受信してよく、これらの入力シンボルを並列形式で供給してよい。シンボル−サブキャリアマッパ３１４は、入力シンボルを送信に使用されるＫ個のサブキャリアにマッピングしてよく、零の信号値を持つ零シンボルを残りのＮＦＦＴ−Ｋ個のサブキャリアにマッピングしてよい。逆ＦＦＴ（ＩＦＦＴ）ユニット３１６は、１つのＯＦＤＭシンボル期間におけるＮＦＦＴ個の総サブキャリアに関するＮＦＦＴ個のマッピングされたシンボルを受信してよい。ＩＦＦＴユニット３１６は、ＮＦＦＴ個のマッピングされたシンボルをＮＦＦＴ点ＩＦＦＴを用いて時間領域に変換し、ＮＦＦＴ個の時間領域サンプルを供給してよい。各サンプルは、１つのサンプル期間において送信される複素数値である。並列−直列変換器３１８は、ＮＦＦＴ個のサンプルを直列化し、これらのサンプルを含む有効部を供給してよい。サイクリックプレフィクス生成器３２０は、有効部の末尾のＮＣ個のサンプルをコピーし、これらＮＣ個のサンプルを有効部の前に付加して、ＮＦＦＴ＋ＮＣ個のサンプルを含むＯＦＤＭシンボルを得る。コピーされた部分は、サイクリックプレフィクスまたはガードインターバルとしても参照され、ＮＣはサイクリックプレフィクス長である。サイクリックプレフィクスは、周波数選択性フェージングによって生じるシンボル間干渉（ＩＳＩ）に対抗するために使用される。
【００１８】
システムは、設定可能なサブキャリア総数（ＮＦＦＴ）、設定可能なサイクリックプレフィクス長（ＮＣ）、設定可能なガードサブキャリア数（ＮＧ）などを持ってよい。端末は、システムによって送信される信号を獲得するために、システムによって使用されるＮＦＦＴ、ＮＣ及びＮＧの値を知る必要があるかもしれない。端末が（例えば、システムサーチの間に）システムによって使用されるＮＦＦＴ、ＮＣ及びＮＧの値を知らないならば、端末はシステムによって使用され得る、夫々の見込まれる値の組み合わせに関して獲得を実行するかもしれない。例えば、ＮＦＦＴに関するＫＦＦＴ個の見込まれる値、ＮＣに関するＫＣ個の見込まれる値、及びＮＧに関するＫＧ個の見込まれる値が存在するならば、ＮＦＦＴ、ＮＣ及びＮＧに関してＫｔｏｔａｌ＝ＫＦＦＴ×ＫＣ×ＫＧ個の見込まれる値の組み合わせが存在する。端末は、Ｋｔｏｔａｌ個の見込まれる値の組み合わせの各々に関する獲得を実行するかもしれず、これは過度なバッテリ電力及び時間を消費するかもしれない。
【００１９】
一態様において、端末は異なるシステムに関する情報及び各システムに関する１つまたは複数の設定可能なシステムパラメータに関する情報を保存してよい。端末は、システム選択及び獲得を迅速化するために、保存された情報を使用してよい。一設計において、情報はＰＲＬに保存されてもよく、これは（例えばサービス起動の間に）端末で準備されてもよいし、端末に（例えば動作中に無線プログラミングを介して）ダウンロードされてもよいし、端末に挿入されたリムーバブルモジュールによって端末に供給されてもよい。別の設計において、情報は端末によって収集され、ＭＲＵリストに保存されてもよい。両方の設計に関して、情報は端末にある不揮発性メモリまたは端末にアクセス可能な不揮発性メモリに保存されてよく、獲得を迅速化し、かつ、時間及びバッテリ電力を節約するために使用されてよい。明確さのために、ＰＲＬにおける情報の保存が以下に記述される。
【００２０】
図４は、「ANSI/TIA-683-D，"Over-the-Air Service Provisioning of Mobile Stations in Spread Spectrum Systems"，２００５年４月」に記述される構造を持つＰＲＬ４００を示しており、これは公的に利用可能である。ＰＲＬ４００は、システムテーブル４１０及び獲得テーブル４５０を含む。システムテーブル４１０は、許可された／好ましい及び禁止されたシステムのリストを含み、これは地理的エリア（ＧＥＯ）によって整理されている。明確さのために、図４は、個別のタブ化されたテーブルによって表現される夫々の地理的エリアを示している。夫々のタブ化されたテーブルは、端末がアクセスすべきである許可されたシステムに関するセクション４２０及び端末がアクセスすべきでない禁止されたシステムに関するセクション４３０を含む。
【００２１】
システムテーブル及び獲得テーブルは、異なる無線技術に関して異なるフォーマットを持ってよい。図４は、ｃｄｍａ２０００、ＵＷＢなどに適用可能であり得るＰＲＬフォーマットを示す。各地理的エリアに関してタブ化されたテーブルは、（１）地理的エリアにおける１つまたは複数のシステムに関する１つまたは複数のレコード及び（２）各レコードと関連する情報の多数のフィールドを含む。これらのフィールドは、システムフィールド、選択好適度フィールド、ローミング表示フィールド及び獲得インデックスフィールドを含む。各レコードに関して、システムフィールドはレコードに関連するシステムのシステム識別情報を保存する。選択好適度フィールドは、同一の地理的エリア内の全ての許可されたシステムのうちの関連するシステムの好適度を表示する。典型的には、ネットワークオペレータが好適度を指定する。ローミング表示フィールドは、関連するシステムから信号を受信するときにローミングインジケータが端末にどのように表示されるべきかを指定する。獲得インデックスフィールドは、関連するシステムを獲得するために使用するパラメータ値を含む、獲得テーブル４５０における特定のレコードを指し示すインデックス値を保存する。獲得テーブル４５０は、夫々の一意的なインデックス値に関する１つのレコードを含む。夫々の獲得レコードは、システム獲得に使用される種々のパラメータに関するフィールドを含む。異なる無線技術に関する獲得レコードは、異なるフォーマットを持ってよい。
【００２２】
図４に示されるように、各システムレコードにおけるシステム識別情報は、システムＩＤ（ＳＩＤ）及びネットワークＩＤ（ＮＩＤ）のペア、ＭＣＣ（mobile country code）及びＭＮＣ（mobile network code）のペア、ＰＬＭＮＩＤ（public land mobile network identity）及び／または他の情報を含んでよい。ＳＩＤ及びＮＩＤは、３ＧＰＰ２システムに関して共通に使用される。ＭＣＣ及びＭＮＣは、３ＧＰＰ及び３ＧＰＰ２システムに関して共通に使用される。ＰＬＭＮＩＤは、３ＧＰＰシステムに関して共通に使用される。ＭＣＣは、システムが展開される国を識別できる３桁のコードとしてＩＴＵ（International Telecommunications Union）によって定義されている。各国は１つまたは複数のＭＣＣ値をＩＴＵによって勧告Ｅ．２１２において割り当てられており、これは公的に利用可能である。例えば、米国は、３１０から３１６までのＭＣＣ値を割り当てられている。ＭＮＣも、２または３桁のコードとしてＩＴＵによって定義されている。ＭＣＣ及びＭＮＣの組み合わせは、国内のネットワークオペレータを識別するために使用されてよい。
【００２３】
図４は、１つまたは複数の無線技術に関するＰＲＬの図式的表現を示す。ＰＲＬは、異なる無線技術に関して異なるフォーマットを持ってよい。フォーマットに関わらず、ＰＲＬはファイルに保存されてよい。
【００２４】
ANSI/TIA-683-Dは、ＰＲＬについて２つのカテゴリ、「好ましいローミングリスト（Preferred Roaming List）」及び「拡張された好ましいローミングリスト（Extended Preferred Roaming List）」を定義する。拡張された好ましいローミングリストは、好ましいローミングリストを超える追加機能を持つ。
【００２５】
図５はＰＲＬを含むファイルを示し、これはANSI/TIA-683-Dに記述される拡張された好ましいローミングリストのフォーマットを持つ。ＰＲＬは、図５に示されるような、多数のフィールドを含む。テーブル１は、ＰＲＬにおける各フィールドに関する簡潔な説明を提供する。  
【表１】
2010536257.tif 000003
【００２６】
図５に示されるように、ＰＲＬは、（ｉ）Ｎ個のシステムレコード５２０ａから５２０ｎまでからなるシステムテーブル５１０及び（ｉｉ）Ｍ個の獲得レコード５６０ａから５６０ｍまでからなる獲得テーブル５５０を含む。一般に、Ｍ及びＮは夫々任意の整数値であってよい。各システムレコード５２０及び各獲得レコード５６０は、以下に説明するフォーマットを持ってよい。
【００２７】
異なるタイプの獲得レコードが、異なる無線技術に関して定義されてよく、一意的な値を割り当てられてよい。テーブル２は、一設計に従って、いくつかの獲得レコード及び各タイプに割り当てられた値を列挙する。ＩＳ−９５、ＩＳ−２０００、ＨＲＰＤ（High Rate Packet Data）は標準規格であるｃｄｍａ２０００ファミリの一部である。ＧＳＭ（Global System for Mobile Communications）は、ＴＤＭＡに関して広く配置される無線技術である。テーブル２の設計において、「ＵＭＢの包括的獲得レコード（Generic Acquisition Record for UMB）」という獲得レコードタイプがＵＭＢに関して定義されてよく、「０００１００００」（バイナリ）の値を割り当てられてよい。「ＵＭＢの共通の獲得テーブルレコード（Common Acquisition Table Record for UMB）」という別の獲得レコードタイプもＵＭＢに関して定義されてよく、「００００１１１１」の値を割り当てられてよい。ＵＭＢ獲得パラメータの完全集合が、ＵＭＢの包括的な獲得レコード及びＵＭＢの共通の獲得テーブルレコードに含まれてよい。付加的な獲得レコードタイプが、ＬＴＥ、ＷｉＭＡＸ、Ｗｉ−Ｆｉ、メディアＦＬＯ（登録商標）、ＤＶＢ−Ｈなどの他のＯＦＤＭベースの無線技術に関して定義されてよい。  
【表２】
2010536257.tif 000004
【００２８】
図６ＡはＵＭＢの共通の獲得テーブルレコード５６０ｘの設計を示しており、これは図５の獲得テーブル５５０におけるＭ個の獲得レコード５６０ａから５６０ｍまでのうちの１つであってよい。ＵＭＢの共通の獲得テーブルレコード５６０ｘは、ＵＭＢシステムを獲得するために使用されてよい。テーブル３は、ＵＭＢ５６０ｘの共通の獲得テーブルレコードの各フィールドに関する簡潔な説明を提供する。ＡＣＱ＿ＴＹＰＥ及びＬＥＮＧＴＨフィールドは、全ての獲得レコードタイプに関して共通であってよい。残りのフィールドは、ＵＭＢの特有パラメータに使用されてよい。
【００２９】
一設計において、ＵＭＢ＿ＡＣＱ＿ＰＲＯＦＩＬＥフィールドは、特有の数を設定されてよく、ＵＭＢの共通の獲得テーブルレコードをインデックス付けするために使用されてよい。このインデックスは、ＵＭＢの共通の獲得テーブルレコードを参照するためにＵＭＢの包括的な獲得レコードによって使用されてよい。
【００３０】
一設計において、ＦＦＴ＿ＳＩＺＥフィールドは、ｌｏｇ２（ＮＦＦＴ／１２８）で与えられる数が設定されてよい。この設計において、ＦＦＴ＿ＳＩＺＥフィールドは、ＮＦＦＴ＝１２８に関して０、ＮＦＦＴ＝２５６に関して１、ＮＦＦＴ＝５１２に関して２、ＮＦＦＴ＝１０２４に関して３、ＮＦＦＴ＝２０４８に関して４、などを設定されるかもしれない。ＦＦＴ＿ＳＩＺＥフィールドは、他の方法で設定されてもよい。
【００３１】
一設計において、ＣＹＣＬＩＣ＿ＰＲＥＦＩＸ＿ＬＥＮＧＴＨフィールドは、１、２、３または４のＮＣＰ値を設定されてよい。サイクリックプレフィクス長は、ＮＣ＝ＮＣＰ×ＮＦＦＴ／１６として与えられてよい。この設計において、サイクリックプレフィクス長は、１、２、３または４のＮＣＰ値に関して、ＦＦＴサイズの１／１６、１／８、３／１６または１／４に夫々等しいかもしれない。ＣＹＣＬＩＣ＿ＰＲＥＦＩＸ＿ＬＥＮＧＴＨフィールドも、他の方法で設定されてよい。
【００３２】
一設計において、ＮＵＭ＿ＧＵＡＲＤ＿ＳＵＢＣＡＲＲＩＥＲフィールドは、順方向チャネルにおけるガードサブキャリアとして指定されているサブキャリアの数を設定されてよい。別の態様において、例えば、ＦＦＴ＿ＳＩＺＥフィールドと同様の方法で、異なる数のガードサブキャリアが、ＮＵＭ＿ＧＵＡＲＤ＿ＳＵＢＣＡＲＲＩＥＲフィールドに関して異なる値にマッピングされてよい。
【００３３】
一設計において、所与のフィールドは、このフィールドに関して何らのパラメータ値も指定されていないことを表示する指定値（例えば、全ての１のバイナリ）を設定されてよい。この場合には、端末は、パラメータの全ての見込まれる値に関して獲得を実行してよい。例えば、ＦＦＦＴ＿ＳＩＺＥフィールドが上記指定値を設定されているならば、端末は１２８、２５６、５１２、１０２４及び２０４８という５個の見込まれるＦＦＴサイズの各々に関する獲得を実行してよい。  
【表３】
2010536257.tif 000005
【００３４】
図６ＢはＵＭＢの包括的な獲得レコード５６０ｙの設計を示しており、これは図５の獲得テーブル５５０におけるＭ個の獲得レコード５６０ａから５６０ｍまでのうちの１つであってよい。ＵＭＢの包括的な獲得レコード５６０ｙは、ＵＭＢシステムを獲得するために使用されてよい。テーブル４は、ＵＭＢの包括的な獲得レコード５６０ｙの各フィールドに関する簡潔な説明を提供する。一設計において、ＮＵＭ＿ＵＭＢ＿ＢＬＯＣＫＳフィールドは、ＵＭＢの包括的な獲得レコードに含まれる、ＵＭＢブロックの数を指定するために使用されてよい。一設計において、ＵＭＢ＿ＡＣＱ＿ＴＡＢＬＥ＿ＰＲＯＦＩＬＥフィールドは、ＵＭＢの共通の獲得テーブルレコードに関するインデックスを含んでよく、本質的にはＵＭＢの共通の獲得テーブルレコードへのポインタであってよい。  
【表４】
2010536257.tif 000006
【００３５】
図６Ａ及び図６Ｂは、ＵＭＢ獲得テーブルの一設計を示す。テーブル３は、異なるＵＭＢの包括的な獲得レコードによって共有され得る共通パラメータを列挙する。これらのパラメータは、ＦＦＴ＿ＳＩＺＥ、ＣＹＣＬＩＣ＿ＰＲＥＦＩＸ＿ＬＥＮＧＴＨ及びＮＵＭ＿ＧＵＡＲＤ＿ＳＵＢＣＡＲＲＩＥＲＳを含む。テーブル４は、特定のＵＭＢシステムのバンドクラス及びチャネルと、特定のＵＭＢの共通の獲得テーブルレコードを参照するインデックスとを指定する。ＵＭＢの共通の獲得テーブルレコードの使用は、ＰＲＬにおける共通フィールドの複製を省き得る。
【００３６】
異なるタイプのシステムレコードが、異なるタイプのシステムに関して定義されてよく、一意的な値を割り当てられてよい。テーブル５は、いくつかのシステムレコードタイプと、各タイプに関して割り当てられた値を列挙する。図５に示される設計において、「ＭＣＣ−ＭＮＣベースのシステムレコード（MCC-MNC based System Record）」のシステムレコードタイプが、ＵＭＢに関して使用されてよく、「００１１」（バイナリ）の値が割り当てられてよい。付加的なシステムレコードタイプも、他のシステムに関して定義されてよい。  
【表５】
2010536257.tif 000007
【００３７】
図７はＵＭＢシステムレコード５２０ｘの図を示しており、これは図５のシステムテーブルにおけるＮ個のシステムレコード５２０ａから５２０ｎまでのうちの１つであってよい。ＵＭＢシステムレコード５２０ｘは、ＵＭＢシステムを選択するために使用されてよい。
【００３８】
テーブル６は、システムレコードの各フィールドに関する簡潔な説明を提供する。「タイプ特有システムＩＤレコード（Type-specific system ID record）」フィールドは各システムレコードタイプに関して特有であってよいのに対して、残りのフィールドは全てのシステムレコードタイプに関して共通であってよい。  
【表６】
2010536257.tif 000008
【００３９】
テーブル７は、ＭＣＣ−ＭＮＣベースのシステムレコードのタイプ特有システムＩＤレコードの各フィールドに関する簡潔な説明を提供する。  
【表７】
2010536257.tif 000009
【００４０】
テーブル８は、図７及びテーブル７におけるＳＹＳ＿ＲＥＣＯＲＤ＿ＳＵＢＴＹＰＥフィールドに関する見込まれる値を列挙する。  
【表８】
2010536257.tif 000010
【００４１】
テーブル９は、ＳＹＳ＿ＲＥＣＯＲＤ＿ＳＵＢＴＹＰＥ値が「０００」である場合に関するサブタイプ従属フィールドを列挙する。  
【表９】
2010536257.tif 000011
【００４２】
テーブル１０は、ＳＹＳ＿ＲＥＣＯＲＤ＿ＳＵＢＴＹＰＥ値が「００１」である場合に関するサブタイプ従属フィールドを列挙する。  
【表１０】
2010536257.tif 000012
【００４３】
テーブル１１は、ＳＹＳ＿ＲＥＣＯＲＤ＿ＳＵＢＴＹＰＥ値が「０１０」である場合に関するサブタイプ従属フィールドを列挙する。  
【表１１】
2010536257.tif 000013
【００４４】
テーブル５から１１は、ＵＭＢに関して使用されてよいシステムレコードの具体的設計を示している。ＵＭＢに関するシステムレコードは、異なる及び／または付加的なフィールドを含んでもよい。
【００４５】
明確さのために、ＵＭＢに関するシステム及び獲得レコードが上述されてきた。ＯＦＤＭ及び／またはＳＣ−ＦＤＭを利用する他の無線技術及びシステムに関するシステム及び獲得レコードは、同様の方法で定義されてよい。例えば、システム及び獲得レコードは、ＬＴＥ、ＷｉＭＡＸなどに関して定義されてよい。一般には、各無線技術／システムに関するシステム及び獲得レコードは、その無線技術／システムの選択及び獲得のために使用され得る任意のタイプの情報に関する任意の数のフィールドを含んでよい。
【００４６】
一設計において、ＯＦＤＭベース及びＳＣ−ＦＤＭベースのシステムに関するシステム及び獲得レコードは、TIA-683-Dと後方互換性があってもよい。TIA-683-Dをサポートする端末（レガシー端末と呼ばれる）は、ＰＲＬからｃｄｍａ２０００及び他のシステムに関するレコードを抽出可能であってよく、ＯＦＤＭベース及びＳＣ−ＦＤＭベースのシステムに関するレコードを無視または破棄してよい。新たなシステム及び獲得レコードをサポートする新たな端末は、ＰＲＬからこれらのレコードを抽出可能であってよく、かつ、ＯＦＤＭベース及びＳＣ−ＦＤＭベースのシステムの選択及び獲得にこれらのレコードを使用してよい。
【００４７】
別の設計において、ＯＦＤＭベース及びＳＣ−ＦＤＭベースのシステムに関するシステム及び獲得レコードは、TIA-683-Dと後方互換性のないフォーマットで保存されてよい。この設計において、ＯＦＤＭベース及びＳＣ−ＦＤＭベースのシステムに関連する情報のみが保存されてよく、関連しないフィールドは省略されてよい。
【００４８】
端末はＰＲＬを提供されてよく、これは端末がサービス加入するサービスプロバイダによって生成されてよい。ＰＲＬは、端末によって受信され得るシステムに関する多数のシステムレコードを含んでよい。これらのシステムは、ホームシステム及びサービスプロバイダがローミングを承認する他のシステムを含んでよい。各システムレコードは、システム識別情報及び／または関連情報を含んでよく、獲得レコードに関するインデックスも含んでよい。獲得レコードは、関連するシステムの獲得を促進するために使用される関連情報を含んでよい。システムレコードの数及び獲得レコードの数は、システム配置に依存してよい。
【００４９】
代替的にまたは付加的に、端末はＭＲＵリストを保守してよく、これは獲得されたシステム及びその設定可能なパラメータの関連情報を含んでよい。端末は、その端末によって獲得された各システムに関するシステム及び獲得レコードを生成してよく、そのシステムを獲得するためにこれらのレコードを使用してよい。
【００５０】
端末は、例えば電源投入時または端末が圏外になったときに、ＰＲＬ及び／またはＭＲＵリストにおける１つまたは複数のシステムに関する獲得を実行してよい。端末は、ＰＲＬ及び／またはＭＲＵリストにおけるシステムレコードの好適度情報及び／または他の情報に基づいて１つまたは複数のシステムを識別してよい。端末は、ＰＲＬにおけるシステムの好適度、システムが最後に獲得された時などに基づいて、システムを整理してよい。一設計において、端末は、システムに関する獲得レコードにおけるパラメータ値のみを用いて、（例えば、整理された順序で）各システムに関する獲得を実行してよい。端末はパラメータ値の全ての見込まれる組み合わせに関する獲得を実行することを回避できるので、これは獲得を大いに高速化するかもしれない。システム及び獲得レコードは、端末にサービスが利用可能であるかどうかを更に高速に判断させるかもしれない。端末は、周期的（例えばＴ１秒毎）に獲得を実行してよく、ここでＴ１はバッテリ寿命及びシステム獲得スピードなどの種々の要素に基づいて選択されてよい。
【００５１】
端末は、例えば１つまたは複数の獲得レコードに基づく１つまたは複数のシステムの獲得が失敗であるならば、フルサーチを実行してもよい。フルサーチに関して、端末はパラメータ値の全てまたは多くの見込まれる組み合わせに関する獲得を実行してよく、全ての見込まれるシステムに関する獲得を実行してもよい。端末は、周期的（例えばＴ２秒毎）に獲得を実行してよく、ここでＴ２はＴ１より大きくてよい。Ｔ１及びＴ２は、端末がいずれかのシステムのサービスを探しているかどうか、または、端末がより良いシステムをサーチしているかどうかに依存してもよい。
【００５２】
図８は、端末によるシステム選択及び獲得を実行するための処理８００の設計を示す。端末は、最初に、複数のシステムに関する複数のシステムレコードに基づいて、獲得のためにＯＦＤＭまたはＳＣ−ＦＤＭを利用する少なくとも１つのシステムを識別する（ブロック８１２）。複数のシステムレコードは、ＰＲＬ、ＭＲＵリスト、または他のソースからのものであってよい。各システムレコードは、関連するシステムのシステム識別情報、関連する獲得レコードのインデックス、好適度情報などを備えてよい。端末は、複数のシステムレコードにおける好適度情報及び／または他の情報に基づいて、ブロック８１２のシステム選択を実行してよい。端末は、複数のシステムレコードの中から少なくとも１つのシステムに関する少なくとも１つのシステムレコードを取得してよい（ブロック８１４）。
【００５３】
端末は、少なくとも１つのシステムに関する少なくとも１つの獲得レコードも取得してよい（ブロック８１６）。各獲得レコードは、少なくとも１つの設定可能なシステムパラメータに関する少なくとも１つの値を備えてよい。少なくとも１つの設定可能なシステムパラメータは、ＦＦＴサイズ、サイクリックプレフィクス長、ガードサブキャリア数、及び／または他のパラメータを備えてよい。少なくとも１つの獲得レコードは、ＵＭＢ、ＬＴＥ、Ｗｉ−Ｆｉ、ＷｉＭＡＸ、ＩＥＥＥ  ８０２．２０、フラッシュ−ＯＦＤＭ（登録商標）及び／または他の無線技術に関するものであってよい。
【００５４】
端末は、少なくとも１つのシステムレコード及び少なくとも１つの獲得レコードに従って、少なくとも１つのシステムに関する獲得を実行してよい（ブロック８１８）。獲得のための処理は、無線技術に依存してよく、同期信号またはプリアンプブルの検出、制御チャネルの復調などを含んでよい。各設定可能なシステムパラメータは、多数の見込まれる値を持ってよい。端末は、システムに関する獲得レコードにおける少なくとも１つの設定可能なシステムパラメータの少なくとも１つの値のみに従って、各システムに関する獲得を実行してよい。端末は、圏外の間に、少なくとも１つのシステムに関する獲得を周期的に実行してよい。端末は、少なくとも１つのシステムに関する獲得が失敗であるならば、少なくとも１つの設定可能なシステムパラメータの全ての見込まれる値に関するフルサーチを実行してよい（ブロック８２０）。
【００５５】
図９は、システム選択及び獲得を実行するための装置９００の設計を示す。装置９００は、複数のシステムに関する複数のシステムレコードに基づいて、獲得のためにＯＦＤＭまたはＳＣ−ＦＤＭを利用する少なくとも１つのシステムを識別するモジュール９１２と、少なくとも１つのシステムに関する少なくとも１つのシステムレコードを取得するモジュール９１４と、少なくとも１つのシステムに関する少なくとも１つの獲得レコードを取得するモジュール９１６と、少なくとも１つのシステムレコード及び少なくとも１つの獲得レコードに従って少なくとも１つのシステムに関する獲得を実行するモジュール９１８と、少なくとも１つのシステムに関する獲得が失敗であるならば少なくとも１つの設定可能なシステムパラメータの全ての見込まれる値に関するフルサーチを実行するモジュール９２０とを含んでよい。
【００５６】
図１０は、端末１１０、基地局１２０及びシステムコントローラ１３０の設計のブロック図を示す。端末１１０は図１の端末のうちの１つであってよく、基地局１２０は図１の基地局のうちの１つであってよい。端末１１０において、エンコーダ１０１２は逆方向リンク上で送信されるトラフィックデータ及びシグナリングメッセージを受信する。エンコーダ１０１２は、トラフィックデータ及びシグナリングメッセージを処理（例えば、フォーマット、エンコード及びインタリーブ）してよい。変調器（Ｍｏｄ）１０１４は、エンコードされたトラフィックデータ及びシグナリングメッセージを更に処理（例えば、シンボルマッピング及び変調）し、出力サンプルを供給してよい。送信器（ＴＭＴＲ）１０２２は、出力サンプルを調整（例えば、アナログに変換、フィルタリング、増幅及び周波数変換）し、逆方向リンク信号を生成してよく、これはアンテナ１０２４を介して基地局１２０に送信されてよい。
【００５７】
順方向リンク上で、アンテナ１０２４は、基地局１２０及び／または他の基地局によって送信された順方向リンク信号を受信してよい。受信器（ＲＣＶＲ）１０２６は、アンテナ１０２４からの受信信号を調整（例えば、フィルタリング、増幅、周波数変換及びデジタル化）し、入力サンプルを供給してよい。復調器（Ｄｅｍｏｄ）１０１６は、入力サンプルを処理（例えば、復調）し、シンボル推定を供給してよい。デコーダ１０１８は、シンボル推定を処理（例えば、デインタリーブ及びデコード）し、デコードされた端末１１０に送信されたデータ及びシグナリグメッセージを供給する。エンコーダ１０１２、変調器１０１４、復調器１０１６及びデコーダ１０１８は、モデムプロセッサ１０１０によって実装されてよい。これらのユニットは、システムによって使用される無線技術（例えば、ＵＭＢ、ＬＴＥなど）に従って処理を実行してよい。
【００５８】
コントローラ／プロセッサ１０３０は、端末１１０における種々のユニットの動作を指示してよい。コントローラ／プロセッサ１０３０は、図８の処理８００及び／または本願に記述される技術に関する他の処理を実行または指示してもよい。メモリ１０３２は、端末１１０に関するプログラムコード及びデータを保存してよい。メモリ１０３２は、ＰＲＬ、ＭＲＵリスト及び／またはシステムレコード及び／または獲得レコードを含む他のファイルも保存してよい。前述のように、システム及び獲得レコードは、システム選択及び獲得に使用されてよい。リムーバブルモジュール１０３４は、ＰＲＬを保存し得る不揮発性メモリユニットを含んでよい。リムーバブルモジュール１０３４は、ｃｄｍａ２０００に関して共通に使用されるＲ−ＵＩＭ（Removable User Identity Module）、ＷＣＤＭＡ及びＧＳＭに関して共通に使用されるＳＩＭ（Subscriber Identity Module）、ＷＣＤＭＡ及びＧＳＭに関して共通に使用されるＵＳＩＭ（Universal Subscriber Identity Module）などであってよい。
【００５９】
基地局１２０において、送信器／受信器１０３８は、端末１１０及び他の端末との無線通信をサポートしてよい。コントローラ／プロセッサ１０４０は、端末との通信に関する種々の機能を実行してよい。逆方向リンク上で、端末によって送信されたトラフィックデータ及びシグナリングメッセージを回復するために、端末１１０からの逆方向リンク信号はアンテナ１０３６を介して受信され、受信器１０３８によって調整され、コントローラ／プロセッサ１０４０によって更に調整されてよい。順方向リンク上で、順方向リンク信号を生成するために、トラフィックデータ及びシグナリングメッセージはコントローラ／プロセッサ１０４０によって処理され、送信器１０３８によって調整されてよく、これはアンテナ１０３６を介して端末１１０及び他の端末に送信されてよい。メモリ１０４２は、基地局に関するプログラムコード及びデータを保存してよい。通信（Ｃｏｍｍ）ユニット１０４４は、システムコントローラ１３０及び／または他のネットワークエンティティとの通信をサポートしてよい。
【００６０】
システムコントローラ１３０において、コントローラ／プロセッサ１０５０は、端末に関する通信サービスをサポートする種々の機能を実行してよい。コントローラ／プロセッサ１０５０は、端末にダウンロードするためのＰＲＬを生成及び／または供給してよい。コントローラ／プロセッサ１０５０は、適したメッセージを用いたＰＲＬの無線プログラミングもサポートしてよい。メモリ１０５２は、システムコントローラ１３０に関するプログラムコード及びデータを保存してよい。通信ユニット１０５４は、基地局及び他のネットワークエンティティとの通信をサポートしてよい。
【００６１】
当業者は、情報及び信号が任意の種々の異なる技術及び技法を用いて表現されてよいことを理解するだろう。例えば、上記説明の至る所で参照されるかもしれないデータ、命令、コマンド、情報、信号、ビット、シンボル及びチップは、電圧、電流、電磁波、磁場または磁気粒子、光場または光学粒子、またはそれらの任意の組み合わせによって表現されてよい。
【００６２】
当業者は、本願の開示に関連して記述された種々の実例となる論理ブロック、モジュール、回路及びアルゴリズムステップが電子的ハードウェア、コンピュータソフトウェアまたは両者の組み合わせとして実装されてよいことを更に認識するだろう。ハードウェア及びソフトウェアのこの交換可能性を明確に説明するために、種々の実例となるコンポーネント、ブロック、モジュール、回路及びステップは、一般的にそれらの機能性に関して上述されてきた。係る機能性がハードウェアまたはソフトウェアとして実装されるかどうかは、特定用途及び全体のシステムに課される設計制約次第である。熟練した技術者は、記述された機能性を夫々の特定用途に関して種々の方法で実装するかもしれないが、係る実装決定は本開示の範囲からの逸脱を生じることとして解釈されるべきでない。
【００６３】
本願の開示に関連して記述された種々の実例となる論理ブロック、モジュール及び回路は、汎用プロセッサ、ＤＳＰ（Digital Signal Processor）、ＡＳＩＣ（Application Specific Integrated Circuit）、ＦＰＧＡ（Field Programmable Gate Array）または他のプログラム可能な論理デバイス、ディスクリートゲートまたはトランジスタロジック、ディスクリートハードウェアコンポーネント、または本願に記述される機能を実行するように設計されたそれらの任意の組み合わせを用いて実装または実行されてよい。汎用プロセッサはマイクロプロセッサであってよいが、或いは、プロセッサは任意の従来のプロセッサ、コントローラ、マイクロコントローラ、または状態機械であってよい。プロセッサは、例えばＤＳＰ及びマイクロプロセッサの組み合わせ、複数のマイクロプロセッサ、ＤＳＰコアと連結する１つまたは複数のマイクロプロセッサ、または任意の他の係る構成などのコンピューティングデバイスの組み合わせとして実装されてもよい。
【００６４】
本願の開示と関連して記述される方法またはアルゴリズムのステップは、直接的にハードウェアにおいて、プロセッサによって実行されるソフトウェアモジュールにおいて、または、２つの組み合わせにおいて具体化されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭまたは技術分野において知られている任意の他の形式の記憶媒体に存在してよい。或いは、記憶媒体がプロセッサに統合されてもよい。プロセッサ及び記憶媒体は、ＡＳＩＣに存在してもよい。ＡＳＩＣは、ユーザ端末に存在してもよい。或いは、プロセッサ及び記憶媒体は、ユーザ端末におけるディスクリートコンポーネントとして存在してもよい。
【００６５】
１つまたは複数の例示的な設計において、記述された機能はハードウェア、ソフトウェア、ファームウェアまたはそれらの任意の組み合わせにおいて実装されてよい。ソフトウェアにおいて実装されるならば、機能はコンピュータ可読媒体上の１つまたは複数の命令またはコードとして保存または送信されてよい。コンピュータ可読媒体は、ある場所から別の場所へのコンピュータプログラムの転送を容易にするコンピュータ記憶媒体及び通信媒体の両方を含む。記憶媒体は、汎用または特殊用途コンピュータによってアクセス可能な任意の利用可能な媒体であってよい。限定でなく一例として、係るコンピュータ可読媒体は、ＲＡＭ、ＲＯＭ、ＥＥＰＲＯＭ、ＣＤ−ＲＯＭまたは他の光学ディスクストレージ、磁気ディスクストレージまたは他の磁気ストレージデバイス、または、汎用または特殊用途コンピュータまたは汎用または特殊用途プロセッサによってアクセス可能であって、かつ、命令またはデータ構造の形式で所望のプログラムコード手段を搬送または保存するために使用可能な任意の他の媒体を包含する。同様に、任意の接続がコンピュータ可読媒体と適切に称される。例えば、ソフトウェアが同軸ケーブル、光ファイバケーブル、ツイストペア、ＤＳＬ（Digital Subscriber Line）、または赤外線、ラジオ及びマイクロ波などの無線技術を用いてウェブサイト、サーバまたは他のリモートソースから送信されるならば、同軸ケーブル、光ファイバケーブル、ツイストペア、ＤＳＬまたは赤外線、ラジオ及びマイクロ波などの無線技術は媒体の定義に含まれる。ディスク（disk）及びディスク（disk）は、本願において使用されるように、ＣＤ（Compact Disc）、レーザーディスク（登録商標）（disc）、光学ディスク（disc）、ＤＶＤ（Digital Versatile Disc）、フロッピー（登録商標）ディスク（disk）及びブルーレイディスク（disc）を含み、ここでディスク（disk）は通常データを磁気的に再生する一方、ディスク（disc）はレーザを用いてデータを光学的に再生する。上記のものの組み合わせも、コンピュータ可読媒体の範囲に含まれるべきである。
【００６６】
本開示の先の記述は、任意の当業者が本開示を製造または使用することを可能にするために提供される。本開示に対する種々の修正は当業者に容易に明らかとなるだろうし、本願において定められる包括的な原理は本開示の範囲から逸脱することなく他の変形例に適用され得る。従って、本開示は、本願において記述される実施例及び設計に限定されることを意図されておらず、本願において開示される原理及び新規な特徴と調和する最も広い範囲を与えられるべきである。
【図１】
2010536257.tif 000014
【図２】
2010536257.tif 000015
【図３】
2010536257.tif 000016
【図４】
2010536257.tif 000017
【図５】
2010536257.tif 000018
【図６Ａ】
2010536257.tif 000019
【図６Ｂ】
2010536257.tif 000020
【図７】
2010536257.tif 000021
【図８】
2010536257.tif 000022
【図９】
2010536257.tif 000023
【図１０】
2010536257.tif 000024
【国際調査報告】
2010536257.tif 000025
2010536257.tif 000026